(57)【要約】【課題】大きい入賞装置保護カバーを取り付けても機構板が自由に開けられるようにする。【解決手段】遊技盤１２の裏面に配置される入賞球集合カバー１３に遊技動作を電気的に制御する制御回路基板を収納する基板ボックス１１を取り付けるようにしたパチンコ機１において、所定幅を有する回動板２８の一側２８を基板ボックス１１に蝶着すると共に、該回動板２８の他側２８ｂを基板ボックス１１を横方向へ回動させながら横向きに起立させるように入賞球集合カバー１３の表面に蝶着した。【選択図】　　　図４
2004024917.tif 000002
【特許請求の範囲】
【請求項１】
　遊技盤の裏面に配置される入賞球集合カバーに遊技動作を電気的に制御する制御回路基板を収納する基板ボックスを取り付けるようにしたパチンコ機において、所定幅を有する回動板の一側を基板ボックスに蝶着すると共に、回動板の他側を基板ボックスを横方向へ回動させながら横向きに起立させるように入賞球集合カバーの表面に蝶着したことを特徴とするパチンコ機における基板ボックスの取付構造。
【発明の詳細な説明】
【技術分野】
【０００１】
　本発明は、遊技盤の裏面に配置される入賞球集合カバーに取り付けられ、かつ遊技動作を制御する制御回路基板を収納する基板ボックスの取付構造に関するものである。
【背景技術】
【０００２】
　従来、パチンコ機裏側に開閉自在に装着される機構板には入賞球集合カバーと対応位置させて窓口が開設されている。そして、入賞球集合カバーの表面に、窓口から突出させて入賞装置の後部を覆う入賞装置保護カバー及びその外側寄りに基板ボックスがそれぞれ取り付けられている。ところで、近時遊技内容に応じて基板ボックスが大型化する傾向にあり、このため基板ボックスが窓口から外側へ食み出して機構板の外側縁と重なり該機構板の開閉を妨げている。そこで、例えば特開平３−１０９０８９号公報に開示されるように入賞球集合カバーの表面に支持板を固着すると共に、基板ボックスの内側面を前記支持板の上端に軸支し、該軸支部を支点に基板ボックスを回動して横向きに起すことにより前記機構板との重なりを解き、機構板を開閉できるようにしている。
【発明の開示】
【発明が解決しようとする課題】
【０００３】
　しかしながら、入賞装置保護カバーが大きい場合、機構板を開く必要が生じて基板ボックスを横向きに起こそうとしても該基板ボックスの軸支部より上方部が入賞装置保護カバーにつかえて基板ボックスを完全に起すことができなくなり、その結果、機構板を開けることもできないという課題が有った。そこで、本発明は上記課題を解決すべくなされたもので、基板ボックスを横方向へ回動させながら横向きに起立させるようにして、大きい入賞装置保護カバーを装着した場合でも、機構板を開かせることができるようにしたパチンコ機における基板ボックスの取付構造を提供することを目的とするものである。
【課題を解決するための手段】
【０００４】
　かかる目的を達成するため、本発明のパチンコ機における基板ボックスの取付構造は、遊技盤の裏面に配置される入賞球集合カバーに遊技動作を電気的に制御する制御回路基板を収納する基板ボックスを取り付けるようにしたパチンコ機において、所定幅を有する回動板の一側を基板ボックスに蝶着すると共に、回動板の他側を基板ボックスを横方向へ回動させながら横向きに起立させるように入賞球集合カバーの表面に蝶着したものである。
【０００５】
　基板ボックスの横方向への回動に伴い、回動板が入賞球集合カバー表面の蝶着部を中心として折り返され、基板ボックスが横向きに起立される。これにより機構板の開閉が可能となる。しかも、基板ボックスはその取付位置での横幅範囲内で起立されるので、入賞装置保護カバーにつかえるようなことはない。
【発明の効果】
【０００６】
　以上述べたように本発明のパチンコ機における基板ボックスの取付構造によれば、基板ボックスを横方向へ回動させながら横向きに起立させて機構板との重なりを解くようにしたので、大きい入賞装置保護カバーを取り付けても、基板ボックスが起立する際につかえるようなことはなく、機構板を自由に開けられるという効果を有する。
【発明を実施するための最良の形態】
【０００７】
　以下本発明に係る基板ボックスの取付構造の一実施例を図面と共に説明する。まず、図１，図２に基づき実施例に係る基板ボックスの取付構造が適用されるパチンコ機の裏面構造について説明する。図において、１はパチンコ機、２は該パチンコ機１の裏側に一側を蝶着して開閉自在に装着される機構板である。該機構板２は、周知のようにその後面側に景品球を貯留する景品球タンク３、この景品球タンク３に貯留される景品球を整列して流下させる景品球整列樋４、その景品球整列樋４より供給される景品球を所定数ずつ区切って排出する景品球払出装置５などが装着されている。
【０００８】
　また、機構板２の前面側には、その下部に、発生した入賞球を１ケ所に集合させる入賞球集合樋６が設けられ、更にこの入賞球集合樋６に集合された入賞球を１個ずつ処理して、前記景品球払出装置５を駆動させる入賞球処理装置７が設けられている。８はパチンコ機１の裏面下部に固着され打球を弾発するための打球発射装置である。
【０００９】
　更に、機構板２の中央に、大型の窓口９が開設され、該窓口９から後述する遊技盤１２に装着される大型の入賞装置（図示せず。）の後部を覆う入賞装置保護カバー１０が突出するようになっている。同様に、遊技盤１２の裏面側に取り付けられ、遊技動作を電気的に制御する制御回路基板を収納する基板ボックス１１も前記窓口９から後方へ突出するようになっている。
【００１０】
　機構板２の前側には、パチンコ機１に対して着脱自在に装着される遊技盤１２が配置されている。該遊技盤１２は図３に示すように、ほぼ正方形状の合板によって形成され、その遊技盤１２の裏面を覆うように入賞球集合カバー１３が装着されている。また、該入賞球集合カバー１３の上方に中継端子板１４が取り付けられている。この中継端子板１４は、主として遊技盤１２に設けられる電気的機器（ランプ，ソレノイド，モータ等）と基板ボックス１１内に収納される制御回路基板とを接続する配線を中継するもので、複数の端子を有している。なお、中継端子板１４は、遊技盤１２の裏面ではなく、入賞球集合カバー１３の表面に取り付けても良い。
【００１１】
　また、前記入賞球集合カバー１３は、その四隅部を遊技盤１２に回動自在に軸支された取付レバー１５ａ〜１５ｄ（但し１５ｄは図示せず。）によって着脱自在に装着されるようになっている。ここで、入賞球集合カバー１３は、図４に示すように、そのほぼ中央に突出開口１６が開設され、遊技盤１２に装着される大型の入賞装置（図示せず。）が後方に突出できるようにしている。そして、該突出開口１６は、遊技盤１２に取り付けられる入賞装置のうち最も大きく形成される入賞装置にも対応できるような大きさに形成されている。
【００１２】
　突出開口１６には、その開口周縁に沿って補強リブ１７が一体的に周設され、これによって入賞球集合カバー１３全体の強度を向上させている。更に、補強リブ１７の外側には、取付ボス１８ａ〜１８ｄが複数突設されている。更にまた、入賞球集合カバー１３の表面には、突出開口１６の一側に取付ボス１９ａ〜１９ｄが突設されている。これら取付ボス１９ａ〜１９ｄは、基板ボックス１１を取り付ける支持板２３が取着されるためのものである。また、取付ボス１９ａ〜１９ｄを連結するように支持リブ２０が一体に形成され、基板ボックス１１が取り付けられたときに入賞球集合カバー１３がその荷重により変形しないように入賞球集合カバー１３の剛性を高めている。
【００１３】
　前記取付ボス１８ａ〜１８ｄに取り付けられる入賞装置保護カバー１０は、図４に示すように前記突出開口１６の後方ほぼ全域を覆うように凹状に形成され、その四隅前端に取付ボス１８ａ〜１８ｄに対応する取付部２１ａ〜２１ｄ（ただし、２１ｃは図３参照）が形成され、後方からビス２２，２２…で蝶着することにより入賞装置保護カバー１０を入賞球集合カバー１３に取り付けるようになっている。入賞装置保護カバー１０は、前記突出開口１６が最も大きく形成される入賞装置に対応すべく形成されると同様に、最も後方に突出する入賞装置に対応できるような深さを有するように設計される。なお、深さについてはその中間程度のものでも、また浅いものでも良い。これにより、遊技盤１２に取り付けられるあらゆる種類の入賞装置に対応させることができる。
【００１４】
　しかして、基板ボックス１１を入賞球集合カバー１３の表面に取り付けるための構成部材は図４に示すように、入賞球集合カバー１３側に固着される支持板２３と、基板ボックス１１側へ固着される取付板３３と、支持板２３と取付板３３とを連結する回動板２８とからなっている。
【００１５】
　前記支持板２３は縦長の長方形状に形成され、内側縁２３ａを残した外周縁に囲い枠２４が周設されている。また、入賞球集合カバー１３に突設した取付ボス１９ａ〜１９ｄに対応する底面部にビス挿入孔２５ａ〜２５ｄが開設され、支持板２３の上下部には係合孔２６ａ，２６ｂが設けられている。更に、前記内側縁２３ａに沿って回動板２８を蝶着するための軸受孔２７ａ〜２７ｃが縦一直線状且つ等間隔に設けられている。
【００１６】
　回動板２８は、金属板からなり、しかもその横幅は少なくとも基板ボックス１１の内側面１１ａの横幅の２分の１以上になるように形成されている。これは、後記するように基板ボックス１１を横方向へ回動して起立させるに、基板ボックス１１がその取付位置での横幅範囲から外へ食み出ることがないようにするためである。そして、その一側２８ａに基板ボックス１１を蝶着するための軸受孔２９ａ〜２９ｃが縦一直線状且つ等間隔に設けられている。また、回動板２８の他側２８ｂには、前記支持板２３の各軸受孔２７ａ〜２７ｃに嵌入される軸支ピン３０ａ〜３０ｃが設けられている。
【００１７】
　基板ボックス１１は、長方形状の金属製の箱によって高さ方向に二分割して構成されており、その後面上下端部に固定突片３１ａ，３１ｂが突設されている。その内、上端部の固定突片３１ａには小孔３２が開設される。また、取付板３３は基板ボックス１１の後部を収容する浅箱状に形成され、その内側後端縁３３ａに前記回動板２８の一側２８ａに設けられた軸受孔２９ａ〜２９ｄに嵌入される軸支ピン３４ａ〜３４ｃが設けられている。
【００１８】
　また、取付板３３の底面部の上端には、基板ボックス１１上方の固定突片３１ａに設けられた小孔３２に対応位置して取付ボス３５及び、支持板２３の上端に設けられた係合孔２６ａに嵌脱自在に係合する連結ピン３６がそれぞれ設けられている。一方、取付板３３の底面部の下端には、基板ボックス１１下方の固定突片３１ｂが差し込まれるスリット状の係止溝３７、及び支持板２３の下端に設けられた係合孔２６ｂに嵌脱自在に係合する連結ピン３６がそれぞれ設けられている。
【００１９】
　そして、取付ボス１９ａ〜１９ｄへビス挿通孔２５ａ〜２５ｄを介してビス（図示せず。）を螺挿することにより、入賞球集合カバー１３の表面に支持板２３が固着される。一方、基板ボックス１１の下方の固定突片３１ｂを取付板３３の係止溝３７に差し込んだ状態で、上方の固定突片３１ａの小孔３２を取付ボス３５に合致させてねじ３８止めすることにより、基板ボックス１１と取付板３３が一体に固着される。そして、軸受孔２９ａ〜２９ｃに軸支ピン３４ａ〜３４ｃを嵌入し、更に支持板２３の軸受孔２７ａ〜２７ｃに回動板２８の軸支ピン３０ａ〜３０ｃを軸支することにより、図５に示すように基板ボックス１１が回動板２８に蝶着され、更に回動板２８が支持板２３すなわち入賞球集合カバー１３に蝶着されることになる。
【００２０】
　ところで、前記各連結ピン３６，３６を係合孔２６ａ，２６ｂに係合させて基板ボックス１１を支持板２３すなわち入賞球集合カバー１３の表面に取り付けたときは、図６に示すように、基板ボックス１１の後面外側が機構板２の周縁２ａと重なっている。そこで、両連結ピン３６，３６を係合孔２６ａ，２６ｂから外した状態で、まず基板ボックス１１を横方向へ回動させる。これに伴い、回動板２８が入賞球集合カバー１３表面の蝶着部を中心として折り返される。更に、基板ボックス１１を図６の鎖線の方向へ回動して、図７に示すように横向きに起立させる。これにより機構板２が基板ボックス１１に妨げられずに開閉できる。しかも、基板ボックス１１はその取付位置での横幅範囲Ｗ内で回動起立され、それよりも外へ食み出ることはないので、起立時に入賞装置保護カバーにつかえることはなくなる。
【００２１】
　図８乃至図１０は基板ボックスの取付構造に係る他の実施例を示すものである。この取付構造によれば、図８に示すように基板ボックス１１′の内側前端縁１１′ｂに軸支ピン３９ａ〜３９ｃを一直線状に設け、また回動板２８′は基板ボックス１１′の内側面１１′ａの横幅と略同幅となるように形成され、軸受孔２９′ａ〜２９′ｃに軸支ピン３９ａ〜３９ｃを嵌入することにより回動板２８′の一側２８′ａが基板ボックス１１′の内側前端縁１１′ｂに蝶着される。また、支持板２３′の軸受孔２７′ａ〜２７′ｃに軸支ピン３０′ａ〜３０′ｃを嵌入して回動板２８′の他側２８′ｂが支持板２３′に蝶着される。なお、回動板２８′の横幅は基板ボックス１１′の内側面１１′ａの横幅の２分の１以上になるように選ばれる。
【００２２】
　そして、基板ボックス１１′が入賞球集合カバー１３の裏面に取り付けられたときは、図９に示すように回動板２８′が基板ボックス１１′の内側面１１′ａに沿って起立している。この状態で、基板ボックス１１′を横方向へ回動させると図１０に示すように、回動板２８′が前記基板ボックス１１′の起立方向とは逆方向へ折り返され、これに伴い基板ボックス１１′は回動板２８′の横幅分移動して起立させられる。これにより機構板２が開閉できる。しかも、基板ボックス１１′は、その取付位置での横幅範囲Ｗ′内で回動起立され、それよりも外へ食み出ることはない。よって、この構成を採用しても基板ボックス１１′が入賞装置保護カバー１３につかえることはない。
【００２３】
　尚、両実施例では、回動板２８，２８′を基板ボックス１１，１１′に合わせた縦長の帯板状に形成したが、他に、これを横に２分割又は３分割などして複数枚の回動板としても良く、また縦方向の寸法が短い回動板としても良く、基板ボックスと入賞球集合カバーにそれぞれ支障なく蝶着される形態であればこれら形状に限定されるものではない。また、回動板２８，２８′の他側は支持板２３，２３′を介して入賞球集合カバー１３の表面に蝶着するようにしたが、直接入賞球集合カバー１３の表面に蝶着するようにしても良い。更に、図示は省略するが、前記両実施例とは逆に前記回動板２８，２８′を基板ボックス１１，１１′の外側面側に蝶着するようにしても本発明の目的は充分達成できるものである。
【図面の簡単な説明】
【００２４】
【図１】本発明が適用されるパチンコ機の裏面図。
【図２】同基板ボックスを起立させた裏面図。
【図３】遊技盤の裏面図。
【図４】本発明に係わる基板ボックスの取付構造を示す分解斜視図。
【図５】基板ボックスの取付状態を示す斜視図。
【図６】基板ボックスを取り付けた遊技盤の平面断面図。
【図７】基板ボックスを取り付けた遊技盤の平面断面図。
【図８】他の実施例に係る基板ボックスの取付状態を示す斜視図。
【図９】他の実施例に係る基板ボックスを取り付けた遊技盤の平面断面図。
【図１０】他の実施例に係る基板ボックスを取り付けた遊技盤の平面断面図。
【符号の説明】
【００２５】
　　１ パチンコ機
　　１１ 基板ボックス
　　１２ 遊技盤
　　１３ 入賞球集合カバー
　　２８ 回動板
　　２８ａ 一側
　　２８ｂ 他側
【図１】
2004024917.tif 000003
【図２】
2004024917.tif 000004
【図３】
2004024917.tif 000005
【図４】
2004024917.tif 000006
【図５】
2004024917.tif 000007
【図６】
2004024917.tif 000008
【図７】
2004024917.tif 000009
【図８】
2004024917.tif 000010
【図９】
2004024917.tif 000011
【図１０】
2004024917.tif 000012
【手続補正書】
【提出日】平成15年11月17日(2003.11.17)
【手続補正１】
【補正対象書類名】特許請求の範囲
【補正対象項目名】全文
【補正方法】変更
【補正の内容】
【特許請求の範囲】
【請求項１】
　遊技盤の裏面側に、遊技動作を電気的に制御する制御回路基板を収納する基板ボックスを、一側の軸支部を介して回動起立可能に取り付けてなるパチンコ球を遊技媒体とする遊技機において、
　前記基板ボックスが回動させられるときに、前記軸支部が他側方向へと移動して前記基板ボックスが回動起立させられるように構成したことを特徴とするパチンコ球を遊技媒体とする遊技機。
【請求項２】
　前記基板ボックスが、その取付位置での幅範囲から外へ出ることなく回動起立させられるように構成したことを特徴とする請求項１に記載のパチンコ球を遊技媒体とする遊技機。
【請求項３】
　前記基板ボックスの前記軸支部に近接して保護カバーが設けられ、前記基板ボックスが回動させられるときには、少なくとも前記軸支部が前記保護カバーから離間する方向に移動するよう構成したことを特徴とする請求項１又は２に記載のパチンコ球を遊技媒体とする遊技機。
【請求項４】
　前記遊技盤の裏面には入賞球集合カバーが配置され、前記基板ボックスは、前記入賞球集合カバーに対し、回動起立可能に取り付けられていることを特徴とする請求項１乃至３のいずれかに記載のパチンコ球を遊技媒体とする遊技機。
【請求項５】
　裏面側に開閉自在に装着され、窓口を有してなる機構板を備え、
　前記基板ボックスの取付位置にあっては、基板ボックスが前記機構板の一部と重なり合っており、前記基板ボックスを回動起立させることで、前記基板ボックスが前記窓口の方へ移動するとともに、前記機構板との重なり合いがなくなって、前記機構板が開閉できるよう構成したことを特徴とする請求項１乃至４のいずれかに記載のパチンコ球を遊技媒体とする遊技機。
【請求項６】
　前記基板ボックスの前記軸支部は、所定幅を有する回動板の一側に回動自在に軸支されるとともに、前記回動板の他側は、前記遊技盤の裏面側に回動自在に軸支され、各々の軸支部を回動軸心として、回動板を折返し可能としたことを特徴とする請求項１乃至５のいずれかに記載のパチンコ球を遊技媒体とする遊技機。
【手続補正２】
【補正対象書類名】明細書
【補正対象項目名】全文
【補正方法】変更
【補正の内容】
【発明の詳細な説明】
【技術分野】
【０００１】
　本発明は、遊技動作を制御する制御回路基板を収納する基板ボックスを取り付けてなるパチンコ球を遊技媒体とする遊技機に関するものである。
【背景技術】
【０００２】
　従来、パチンコ機裏側に開閉自在に装着される機構板には入賞球集合カバーと対応位置させて窓口が開設されている。そして、入賞球集合カバーの表面に、窓口から突出させて入賞装置の後部を覆う入賞装置保護カバー及びその外側寄りに基板ボックスがそれぞれ取り付けられている。ところで、近時遊技内容に応じて基板ボックスが大型化する傾向にあり、このため基板ボックスが窓口から外側へ食み出して機構板の外側縁と重なり該機構板の開閉を妨げている。そこで、例えば特開平３−１０９０８９号公報に開示されるように入賞球集合カバーの表面に支持板を固着すると共に、基板ボックスの内側面を前記支持板の上端に軸支し、該軸支部を支点に基板ボックスを回動して横向きに起すことにより前記機構板との重なりを解き、機構板を開閉できるようにしている。
【発明の開示】
【発明が解決しようとする課題】
【０００３】
　しかしながら、入賞装置保護カバーが大きい場合、機構板を開く必要が生じて基板ボックスを横向きに起こそうとしても該基板ボックスの軸支部より上方部が入賞装置保護カバーにつかえて基板ボックスを完全に起すことができなくなり、その結果、機構板を開けることもできないという課題が有った。そこで、本発明は上記課題を解決すべくなされたもので、基板ボックスを回動させながら起立させるようにして、大きい入賞装置保護カバーを装着した場合でも、機構板を開かせることができるようにしたパチンコ球を遊技媒体とする遊技機を提供することを目的とするものである。
【課題を解決するための手段】
【０００４】
　かかる目的を達成するため、本発明は、遊技盤の裏面側に、遊技動作を電気的に制御する制御回路基板を収納する基板ボックスを、一側の軸支部を介して回動起立可能に取り付けてなるパチンコ球を遊技媒体とする遊技機において、前記基板ボックスが回動させられるときに、前記軸支部が他側方向へと移動して前記基板ボックスが回動起立させられるように構成したものである。
【発明の効果】
【０００５】
　以上述べたように本発明によれば、基板ボックスを回動起立させて機構板との重なりを解くようにし、大きい入賞装置保護カバーを取り付けても、軸支部が移動して基板ボックスが起立する際につかえるようなことはなく、機構板を自由に開けられるという効果を有する。
【発明を実施するための最良の形態】
【０００６】
　以下本発明に係る基板ボックスの取付構造の一実施例を図面と共に説明する。まず、図１，図２に基づき実施例に係る基板ボックスの取付構造が適用されるパチンコ機の裏面構造について説明する。図において、１はパチンコ機、２は該パチンコ機１の裏側に一側を蝶着して開閉自在に装着される機構板である。該機構板２は、周知のようにその後面側に景品球を貯留する景品球タンク３、この景品球タンク３に貯留される景品球を整列して流下させる景品球整列樋４、その景品球整列樋４より供給される景品球を所定数ずつ区切って排出する景品球払出装置５などが装着されている。
【０００７】
　また、機構板２の前面側には、その下部に、発生した入賞球を１ケ所に集合させる入賞球集合樋６が設けられ、更にこの入賞球集合樋６に集合された入賞球を１個ずつ処理して、前記景品球払出装置５を駆動させる入賞球処理装置７が設けられている。８はパチンコ機１の裏面下部に固着され打球を弾発するための打球発射装置である。
【０００８】
　更に、機構板２の中央に、大型の窓口９が開設され、該窓口９から後述する遊技盤１２に装着される大型の入賞装置（図示せず。）の後部を覆う入賞装置保護カバー１０が突出するようになっている。同様に、遊技盤１２の裏面側に取り付けられ、遊技動作を電気的に制御する制御回路基板を収納する基板ボックス１１も前記窓口９から後方へ突出するようになっている。
【０００９】
　機構板２の前側には、パチンコ機１に対して着脱自在に装着される遊技盤１２が配置されている。該遊技盤１２は図３に示すように、ほぼ正方形状の合板によって形成され、その遊技盤１２の裏面を覆うように入賞球集合カバー１３が装着されている。また、該入賞球集合カバー１３の上方に中継端子板１４が取り付けられている。この中継端子板１４は、主として遊技盤１２に設けられる電気的機器（ランプ，ソレノイド，モータ等）と基板ボックス１１内に収納される制御回路基板とを接続する配線を中継するもので、複数の端子を有している。なお、中継端子板１４は、遊技盤１２の裏面ではなく、入賞球集合カバー１３の表面に取り付けても良い。
【００１０】
　また、前記入賞球集合カバー１３は、その四隅部を遊技盤１２に回動自在に軸支された取付レバー１５ａ〜１５ｄ（但し１５ｄは図示せず。）によって着脱自在に装着されるようになっている。ここで、入賞球集合カバー１３は、図４に示すように、そのほぼ中央に突出開口１６が開設され、遊技盤１２に装着される大型の入賞装置（図示せず。）が後方に突出できるようにしている。そして、該突出開口１６は、遊技盤１２に取り付けられる入賞装置のうち最も大きく形成される入賞装置にも対応できるような大きさに形成されている。
【００１１】
　突出開口１６には、その開口周縁に沿って補強リブ１７が一体的に周設され、これによって入賞球集合カバー１３全体の強度を向上させている。更に、補強リブ１７の外側には、取付ボス１８ａ〜１８ｄが複数突設されている。更にまた、入賞球集合カバー１３の表面には、突出開口１６の一側に取付ボス１９ａ〜１９ｄが突設されている。これら取付ボス１９ａ〜１９ｄは、基板ボックス１１を取り付ける支持板２３が取着されるためのものである。また、取付ボス１９ａ〜１９ｄを連結するように支持リブ２０が一体に形成され、基板ボックス１１が取り付けられたときに入賞球集合カバー１３がその荷重により変形しないように入賞球集合カバー１３の剛性を高めている。
【００１２】
　前記取付ボス１８ａ〜１８ｄに取り付けられる入賞装置保護カバー１０は、図４に示すように前記突出開口１６の後方ほぼ全域を覆うように凹状に形成され、その四隅前端に取付ボス１８ａ〜１８ｄに対応する取付部２１ａ〜２１ｄ（ただし、２１ｃは図３参照）が形成され、後方からビス２２，２２…で蝶着することにより入賞装置保護カバー１０を入賞球集合カバー１３に取り付けるようになっている。入賞装置保護カバー１０は、前記突出開口１６が最も大きく形成される入賞装置に対応すべく形成されると同様に、最も後方に突出する入賞装置に対応できるような深さを有するように設計される。なお、深さについてはその中間程度のものでも、また浅いものでも良い。これにより、遊技盤１２に取り付けられるあらゆる種類の入賞装置に対応させることができる。
【００１３】
　しかして、基板ボックス１１を入賞球集合カバー１３の表面に取り付けるための構成部材は図４に示すように、入賞球集合カバー１３側に固着される支持板２３と、基板ボックス１１側へ固着される取付板３３と、支持板２３と取付板３３とを連結する回動板２８とからなっている。
【００１４】
　前記支持板２３は縦長の長方形状に形成され、内側縁２３ａを残した外周縁に囲い枠２４が周設されている。また、入賞球集合カバー１３に突設した取付ボス１９ａ〜１９ｄに対応する底面部にビス挿入孔２５ａ〜２５ｄが開設され、支持板２３の上下部には係合孔２６ａ，２６ｂが設けられている。更に、前記内側縁２３ａに沿って回動板２８を蝶着するための軸受孔２７ａ〜２７ｃが縦一直線状且つ等間隔に設けられている。
【００１５】
　回動板２８は、金属板からなり、しかもその横幅は少なくとも基板ボックス１１の内側面１１ａの横幅の２分の１以上になるように形成されている。これは、後記するように基板ボックス１１を横方向へ回動して起立させるに、基板ボックス１１がその取付位置での横幅範囲から外へ食み出ることがないようにするためである。そして、その一側２８ａに基板ボックス１１を蝶着するための軸受孔２９ａ〜２９ｃが縦一直線状且つ等間隔に設けられている。また、回動板２８の他側２８ｂには、前記支持板２３の各軸受孔２７ａ〜２７ｃに嵌入される軸支ピン３０ａ〜３０ｃが設けられている。
【００１６】
　基板ボックス１１は、長方形状の金属製の箱によって高さ方向に二分割して構成されており、その後面上下端部に固定突片３１ａ，３１ｂが突設されている。その内、上端部の固定突片３１ａには小孔３２が開設される。また、取付板３３は基板ボックス１１の後部を収容する浅箱状に形成され、その内側後端縁３３ａに前記回動板２８の一側２８ａに設けられた軸受孔２９ａ〜２９ｄに嵌入される軸支部としての軸支ピン３４ａ〜３４ｃが設けられている。
【００１７】
　また、取付板３３の底面部の上端には、基板ボックス１１上方の固定突片３１ａに設けられた小孔３２に対応位置して取付ボス３５及び、支持板２３の上端に設けられた係合孔２６ａに嵌脱自在に係合する連結ピン３６がそれぞれ設けられている。一方、取付板３３の底面部の下端には、基板ボックス１１下方の固定突片３１ｂが差し込まれるスリット状の係止溝３７、及び支持板２３の下端に設けられた係合孔２６ｂに嵌脱自在に係合する連結ピン３６がそれぞれ設けられている。
【００１８】
　そして、取付ボス１９ａ〜１９ｄへビス挿通孔２５ａ〜２５ｄを介してビス（図示せず。）を螺挿することにより、入賞球集合カバー１３の表面に支持板２３が固着される。一方、基板ボックス１１の下方の固定突片３１ｂを取付板３３の係止溝３７に差し込んだ状態で、上方の固定突片３１ａの小孔３２を取付ボス３５に合致させてねじ３８止めすることにより、基板ボックス１１と取付板３３が一体に固着される。そして、軸受孔２９ａ〜２９ｃに軸支ピン３４ａ〜３４ｃを嵌入し、更に支持板２３の軸受孔２７ａ〜２７ｃに回動板２８の軸支ピン３０ａ〜３０ｃを軸支することにより、図５に示すように基板ボックス１１が回動板２８に蝶着され、更に回動板２８が支持板２３すなわち入賞球集合カバー１３に蝶着されることになる。
【００１９】
　ところで、前記各連結ピン３６，３６を係合孔２６ａ，２６ｂに係合させて基板ボックス１１を支持板２３すなわち入賞球集合カバー１３の表面に取り付けたときは、図６に示すように、基板ボックス１１の後面外側が機構板２の周縁２ａと重なっている。そこで、両連結ピン３６，３６を係合孔２６ａ，２６ｂから外した状態で、まず基板ボックス１１を横方向へ回動させる。これに伴い、回動板２８が入賞球集合カバー１３表面の蝶着部を中心として折り返される。更に、基板ボックス１１を図６の鎖線の方向へ回動して、図７に示すように横向きに起立させる。これにより機構板２が基板ボックス１１に妨げられずに開閉できる。しかも、基板ボックス１１はその取付位置での横幅範囲Ｗ内で回動起立され、それよりも外へ食み出ることはないので、起立時に入賞装置保護カバーにつかえることはなくなる。
【００２０】
　図８乃至図１０は基板ボックスの取付構造に係る他の実施例を示すものである。この取付構造によれば、図８に示すように基板ボックス１１′の内側前端縁１１′ｂに軸支部としての軸支ピン３９ａ〜３９ｃを一直線状に設け、また回動板２８′は基板ボックス１１′の内側面１１′ａの横幅と略同幅となるように形成され、軸受孔２９′ａ〜２９′ｃに軸支ピン３９ａ〜３９ｃを嵌入することにより回動板２８′の一側２８′ａが基板ボックス１１′の内側前端縁１１′ｂに蝶着される。また、支持板２３′の軸受孔２７′ａ〜２７′ｃに軸支ピン３０′ａ〜３０′ｃを嵌入して回動板２８′の他側２８′ｂが支持板２３′に蝶着される。なお、回動板２８′の横幅は基板ボックス１１′の内側面１１′ａの横幅の２分の１以上になるように選ばれる。
【００２１】
　そして、基板ボックス１１′が入賞球集合カバー１３の裏面に取り付けられたときは、図９に示すように回動板２８′が基板ボックス１１′の内側面１１′ａに沿って起立している。この状態で、基板ボックス１１′を横方向へ回動させると図１０に示すように、回動板２８′が前記基板ボックス１１′の起立方向とは逆方向へ折り返され、これに伴い基板ボックス１１′は回動板２８′の横幅分移動して起立させられる。これにより機構板２が開閉できる。しかも、基板ボックス１１′は、その取付位置での横幅範囲Ｗ′内で回動起立され、それよりも外へ食み出ることはない。よって、この構成を採用しても基板ボックス１１′が入賞装置保護カバー１３につかえることはない。
【００２２】
　尚、両実施例では、回動板２８，２８′を基板ボックス１１，１１′に合わせた縦長の帯板状に形成したが、他に、これを横に２分割又は３分割などして複数枚の回動板としても良く、また縦方向の寸法が短い回動板としても良く、基板ボックスと入賞球集合カバーにそれぞれ支障なく蝶着される形態であればこれら形状に限定されるものではない。また、回動板２８，２８′の他側は支持板２３，２３′を介して入賞球集合カバー１３の表面に蝶着するようにしたが、直接入賞球集合カバー１３の表面に蝶着するようにしても良い。更に、図示は省略するが、前記両実施例とは逆に前記回動板２８，２８′を基板ボックス１１，１１′の外側面側に蝶着するようにしても本発明の目的は充分達成できるものである。
【図面の簡単な説明】
【００２３】
【図１】本発明が適用されるパチンコ機の裏面図。
【図２】同基板ボックスを起立させた裏面図。
【図３】遊技盤の裏面図。
【図４】本発明に係わる基板ボックスの取付構造を示す分解斜視図。
【図５】基板ボックスの取付状態を示す斜視図。
【図６】基板ボックスを取り付けた遊技盤の平面断面図。
【図７】基板ボックスを取り付けた遊技盤の平面断面図。
【図８】他の実施例に係る基板ボックスの取付状態を示す斜視図。
【図９】他の実施例に係る基板ボックスを取り付けた遊技盤の平面断面図。
【図１０】他の実施例に係る基板ボックスを取り付けた遊技盤の平面断面図。
【符号の説明】
【００２４】
１ パチンコ機
１１ 基板ボックス
１２ 遊技盤
１３ 入賞球集合カバー
２８ 回動板
３４ａ〜３４ｃ，３９ａ〜３９ｃ軸支部としての軸支ピン。